(57)【特許請求の範囲】
【請求項１】
ズームレンズおよびフォーカスレンズ近傍の温度を検出する温度検出手段と、
前記ズームレンズを駆動するズームレンズ駆動手段と、
基準温度よりも前記温度検出手段にて検出される現在温度が高い場合、前記ズームレンズの高温状態における望遠端位置を取得し、該望遠端位置と前記ズームレンズの現在位置を比較し、前記ズームレンズの現在位置が前記望遠端位置よりさらに望遠側の位置であるときには、前記ズームレンズを前記望遠端位置まで前記ズームレンズ駆動手段により移動させる制御手段とを有するレンズ制御装置であって、
前記制御手段は、前記ズームレンズの望遠端位置が前記高温状態における望遠端位置に変更されている状態で、現在温度が前記基準温度よりも低い低温状態になった場合に、前記ズームレンズの現在位置が前記高温状態における望遠端位置に一致するときには、前記ズームレンズの望遠端位置を低温状態における望遠端位置に変更することを禁止することを特徴とするレンズ制御装置。
【請求項２】
前記制御手段は、前記ズームレンズの望遠端位置が前記高温状態における望遠端位置に変更されている状態で、現在温度が前記基準温度よりも低い低温状態になった場合に、前記ズームレンズの現在位置が前記高温状態における望遠端位置に一致しないときには、前記ズームレンズの望遠端位置を前記低温状態における望遠端位置に変更することを特徴とする請求項１に記載のレンズ制御装置。
【請求項３】
前記温度と前記ズームレンズの望遠端位置の関係を示すテーブルデータを有し、
前記制御手段は、前記テーブルデータを基に前記温度検出手段にて検出される温度から前記ズームレンズの望遠端位置を取得することを特徴とする請求項１または２に記載のレンズ制御装置。
【請求項４】
前記制御手段は、前記基準温度と前記温度検出手段により検出される温度との温度差分を算出し、該温度差分を用いて演算により前記ズームレンズの望遠端位置を取得することを特徴とする請求項１または２に記載のレンズ制御装置。
【請求項５】
請求項１ないし４のいずれかに記載のレンズ制御装置を具備することを特徴とするレンズ鏡筒。
【請求項６】
請求項１ないし４のいずれかに記載のレンズ制御装置を具備することを特徴とする撮像装置。
【請求項７】
請求項１ないし４のいずれかに記載のレンズ制御装置を具備することを特徴とする光学機器。
【発明の詳細な説明】
【技術分野】
【０００１】
本発明は、ズームレンズおよびフォーカスレンズの位置制御を行うレンズ制御装置、レンズ鏡筒、レンズ制御装置を具備する撮像装置および光学機器に関するものである。
【背景技術】
【０００２】
従来、スチルカメラやビデオカメラ用のレンズ鏡筒として、内蔵するレンズ群より成るズームレンズとフォーカスレンズをステッピングモータ等の駆動部材で駆動する型式のものが知られている。
【０００３】
一般に、レンズ群をステッピングモータ等の駆動部材で駆動する場合、該レンズ群の駆動および位置決めのための制御方式として、いわゆるオープンループ制御方式が採用されることが多い。それは、オープンループ制御方式の場合は、レンズ群の時々刻々の位置を検出するための検出装置が不要であり、また、制御系の構成がクローズドループ制御方式の制御系に較べて簡単、且つ、小型になるという理由からである。
【０００４】
しかしながら、ステッピングモータ使用のオープンループ制御方式によってレンズ群の位置決め制御を行う場合には、ステッピングモータの駆動開始位置とレンズ群の移動開始位置とを一致させる必要がある。そのために、位置決め制御開始前にレンズ群を特定の基準位置に戻し、レンズ群が基準位置（リセット位置）に位置決めされたか否かを検出するための基準位置検出部を各レンズ群に対して備える必要があった。
【０００５】
図４は、各レンズ群がどのように位置制御されるかを示す図であり、横軸をズームレンズの焦点距離位置とし、縦軸をフォーカスレンズの位置としている。詳しくは、横軸の左端がワイド端、右端がテレ端（望遠端）であり、縦軸の下が無限位置、上がピント至近位置となっている。以下、図４に示されるような曲線を“カム軌跡”と記す。
【０００６】
一般的にカム軌跡の形状は、被写体距離が無限の場合のカム軌跡のように、ワイド端からミドル位置まではなだらかな右肩上がりで、ミドル位置でなだらかな頂点を通り、ミドル位置からテレ端までは右肩下がりの山型の連続曲線となる。
【０００７】
カム軌跡の特徴として、ミドル位置からテレ端までは、テレ端に近付くほど、急峻な傾きとなることが知られている。最もこの傾きが急峻となるのは、“ズーム状態がテレ、被写体距離が無限”の位置で、その時の傾きが大きいということは、ズームレンズの移動に対して、フォーカスレンズを大きく移動させなければならないことを表わしている。
【０００８】
近年、カメラ等の光学機器においては、レンズ鏡筒の小型化及び固体撮像素子のイメージサイズの小径化が急速に進んでいる。また、レンズ鏡筒及び光学系の保持部材の材料としてプラスティック材料が多く使用されている。レンズ鏡筒及び光学系の保持部材の材料としてプラスティック材料を使用すると、これらの部材が金型により容易に成形でき、又、その形状の任意性も大きい上、他の材料に比してコストメリットが大きい等、多くの利点がある。
【０００９】
その反面、レンズ鏡筒及び光学系の保持部材にプラスティック材料を使用した場合、環境変化、特に、温度変化や湿度変化に対し物理的性質や寸法の変化が大きい問題がある。例えばプラスティックをレンズ鏡筒の構造材に使用すれば、金属材料を使用した場合に比べ、焦点距離や合焦位置等が大きく変化して、ピントずれが発生するという性能上の弊害が生じてくる。
【００１０】
これらの問題に対して、温度変化からピントずれ量を求め、フォーカスレンズの位置を補正する技術が提案（特許文献１）されている。
【００１１】
また、光学倍率の高倍率化と光学系の小型化を進めていくと、前述したカム軌跡のテレ端近傍の急峻な傾きは、急激にその傾きが大きくなることが判っている。したがって、ズーム／フォーカスレンズ位置が制御される光学系では、何らかの要因でズームレンズのテレ端での位置が少量でもずれると、そのずれ量の数十倍の量だけ、フォーカスレンズを移動させなければならなくなる。
【００１２】
このピントずれを発生させる最も大きな要因は、温度上昇による、レンズユニット構造部材の熱膨張である。この温度上昇による熱膨張により、ズームレンズが超テレ方向に移動すると、その数十倍もの距離をフォーカスレンズを鏡面側に移動させなければ合焦状態にならない。したがって、レンズ鏡筒のメカ寸法的にも、この分以上のクリアランスが必要となり、レンズ鏡筒のメカ的全長が長く大きくなるという問題が生じていた。
【特許文献１】特許第３５８１５１３号公報
【発明の開示】
【発明が解決しようとする課題】
【００１３】
上記の点に鑑み、温度上昇に応じてテレ端位置を再計算し、温度上昇（高温）時にはテレ端位置をワイド側に変更することで、ズームレンズが超テレ方向に移動することを防ぐことを考えている。図４を用いて簡単に説明すると、常温時にズームレンズがテレ端にある場合、高温時にはズームレンズの位置はＢ（Ａ＋ＤＸｔ）となるが、変化量ＤＸｔに伴い、ピントのずれがＤＹｔ生じることとなる。その際、ピントを合わせるにはフォーカスレンズのクリアランスが足りず、メカ端に当たってしまう可能性がある。そこで、フォーカスレンズのクリアランスを確保するためにズームレンズが超テレ方向に移動することを防ぐことを考えている。このとき、ズームレンズがワイド側に変更後のテレ端位置よりもテレ側にあれば、該ズームレンズを変更後のテレ端位置まで移動させることにより、クリアランスを確保でき、レンズ鏡筒のメカ的全長が長く大きくなることを防ぐことができる。
【００１４】
ここで、上記のようにテレ端位置をワイド側に変更した後、温度下降により低温状態になった場合は、テレ側にテレ端位置を戻すように変更する。これは、一度高温状態になり、テレ端位置をワイド側に変更した後、低温状態になると、ズームレンズの稼動範囲は元に戻るため、ワイド側に変更したテレ端位置をテレ側に戻す必要があるからである。しかしながら、このようにテレ側にテレ端位置を復帰させると、ズームレンズがテレ端位置にあった場合、それ以上テレ側にズーム操作できない状態であった筈が、温度下降後にはテレ端より少しワイド側にある状態になる。よって、さらにテレ側にズーム操作ができてしまうといった不都合が生じる虞があった。つまり、ズーム操作によるズームレンズの駆動状態として「駆動中」「停止中」をマーク等で表示するとした場合、通常、テレ端ではズームキーをテレ側に倒してもズームレンズは駆動しない。そのため、表示は「停止」状態を表すが、温度下降に伴いテレ端位置をテレ側に変更してしまうと、テレ端にズームレンズがあったにも拘わらず、ズームキーをテレ側に倒すと「駆動中」状態を示してしまい、操作者の意図した動作とは異なってしまう不都合がある。
【００１５】
また、撮像装置においてはズーム位置を画面上に表示する機能を備えることが多い。しかし、上記の場合にズームの現在位置を示すマーク（指標）が、ズーム操作をしていない状態でもテレ端位置でない箇所を示すなど、実際のズームレンズ位置と表示との整合性がとれないことになる。
【００１６】
さらに、ズームレンズ位置がテレ端位置にあるかどうかを判定することで行う特殊な処理、例えば光学ズームから電子ズームへの切り換え等の処理を行う機能を有する撮像装置が知られている。この種の撮像装置の場合、上記のようにテレ端位置が変わることで判定処理に不都合が生じ、電子ズームが解除されてしまうといった問題も起こり得る。
【００１７】
（発明の目的）
本発明の目的は、温度変化に伴って望遠端位置を変化させる処理において、望遠端位置よりさらに望遠側にズーム操作できてしまうことを無くすと共に、ズームレンズ位置を示す表示の整合性、ズームレンズ位置が望遠端位置にある場合の特殊な処理の整合性をとることのできるレンズ制御装置、レンズ鏡筒、撮像装置および光学機器を提供しようとするものである。
【課題を解決するための手段】
【００１８】
上記目的を達成するために、本発明は、ズームレンズおよびフォーカスレンズ近傍の温度を検出する温度検出手段と、前記ズームレンズを駆動するズームレンズ駆動手段と、基準温度よりも前記温度検出手段にて検出される現在温度が高い場合、前記ズームレンズの高温状態における望遠端位置を取得し、該望遠端位置と前記ズームレンズの現在位置を比較し、前記ズームレンズの現在位置が前記望遠端位置よりさらに望遠側の位置であるときには、前記ズームレンズを前記望遠端位置まで前記ズームレンズ駆動手段により移動させる制御手段とを有するレンズ制御装置であって、前記制御手段が、前記ズームレンズの望遠端位置が前記高温状態における望遠端位置に変更されている状態で、現在温度が前記基準温度よりも低い低温状態になった場合に、前記ズームレンズの現在位置が前記高温状態における望遠端位置に一致するときには、前記ズームレンズの望遠端位置を低温状態における望遠端位置に変更することを禁止するレンズ制御装置とするものである。
【００１９】
同じく上記目的を達成するために、本発明は、本発明の上記レンズ制御装置を具備するレンズ鏡筒、撮像装置または光学機器とするものである。
【発明の効果】
【００２０】
本発明によれば、温度変化に伴って望遠端位置を変化させる処理において、望遠端位置よりさらに望遠側にズーム操作できてしまうことを無くすと共に、ズームレンズ位置を示す表示の整合性、ズームレンズ位置が望遠端位置にある場合の特殊な処理の整合性をとることができるレンズ制御装置、レンズ鏡筒、撮像装置または光学機器を提供できるものである。
【発明を実施するための最良の形態】
【００２１】
本発明を実施するための最良の形態は、以下の実施例に示す通りである。
【実施例】
【００２２】
図１は本発明の一実施例に係る、レンズ制御装置を備えたビデオカメラなどの撮像装置を示すシステム構成図である。なお、レンズ鏡筒及び光学系の保持部材の材料としてプラスティック材料が用いられているものとする。
【００２３】
図１において、１０１は固定されている第１固定レンズ群、１０２は変倍を行うレンズ群であるズームレンズ、１０３は絞り、１０４は固定されている第２固定レンズ群である。１０５は焦点調節機能と変倍による焦点面の移動を補正するいわゆるコンペ機能を兼ね備えたレンズ群であるフォーカスレンズである。１１０はズームレンズ１０２を駆動するズームレンズ駆動源、１１１はフォーカスレンズ１０５を駆動するフォーカスレンズ駆動源である。ズームレンズ駆動源１１０及びフォーカスレンズ駆動源１１１はそれぞれステッピングモータとドライバ部を有している。
【００２４】
１０６は例えばＣＭＯＳセンサ、ＣＣＤセンサなどの撮像素子である。１０７はカメラ信号処理回路であり、撮像素子１０６からの信号を後述の記録装置１０９に対応した信号に変換等の信号処理を行う。１０９は動画や静止画を記録する記録装置であり、記録媒体として、磁気テープ、半導体メモリ、ＤＶＤ（Ｄｉｇｉｔａｌ  Ｖｅｒｓａｔｉｌｅ  Ｄｉｓｋ）などが使われている。
【００２５】
１１４はカメラマイコンであり、ズームレンズ駆動源１１０、フォーカスレンズ駆動源１１１を制御する。さらに、最適化された操作状態からズームレンズ１０２、フォーカスレンズ１０５の目標位置を算出し、後述するレンズ位置検出部で検出された位置との比較を行い、ズームレンズ駆動源１１０、フォーカスレンズ駆動源１１１を制御して各レンズを移動させる。１１５はズームスイッチである。
【００２６】
１１２はズームレンズ１０２の位置を検出するレンズ位置検出部、１１３はフォーカスレンズ１０５の位置を検出するレンズ位置検出部である。これらレンズ位置検出部１１２，１１３は、それぞれフォトセンサと遮光板とを有し（いずれも不図示）、フォトセンサは発光部と受光部とにより構成され、遮光板はそれぞれズームレンズ１０２、フォーカスレンズ１０５に固定されている。そして、ズームレンズ１０２、フォーカスレンズ１０５が光軸方向に移動すると、それと一体に遮光板が移動する。そして、フォトセンサの発光部と受光部との間の光路を遮ったとき、受光部の出力信号がロー（Ｌｏｗ）レベルになり、遮らないときはハイ（Ｈｉ）レベルになる。したがって、受光部の出力信号が変化する位置を基準位置（リセット位置）として、ズームレンズ１０２、フォーカスレンズ１０５が基準位置に存在するか否かを検知することができる。カメラマイコン１１４は、この基準位置と、レンズ移動速度、レンズ移動方向などにより、各レンズの位置を認識することができる。
【００２７】
１０８はサーミスタ素子であり、第１固定レンズ群１０１、ズームレンズ１０２、絞り１０３、第２固定レンズ群１０４、フォーカスレンズ１０５を収めたレンズ鏡筒の近傍の温度を検出し、これを温度情報としてカメラマイコン１１４に出力する。
【００２８】
カメラの電源スイッチのオンから上記のズームレンズ１０２とフォーカスレンズ１０５が初期位置にセットされるまでの一連の動作を“レンズリセット動作”と記す。
【００２９】
図２は、カム軌跡によりズームレンズ１０２とフォーカスレンズ１０５を制御するときの、各レンズの位置を示したものであり、横軸がワイド端からテレ端までのズームレンズ１０２の位置、縦軸が無限から至近までのフォーカスレンズ１０５の位置となっている。
【００３０】
図２において、曲線７０は、被写体距離が無限でのズームレンズ１０２およびフォーカスレンズ１０５の制御位置である。曲線７１は、被写体距離が１０００ｍｍでのズームレンズ１０２およびフォーカスレンズ１０５の制御位置である。７２は、ズームレンズ１０２の遮光板のイン（Ｈｉ）状態・アウト（Ｌｏｗ）状態によって切り換わるレンズ位置検出部１１２の出力である。７３は、フォーカスレンズ１０５の遮光板４３のイン（Ｈｉ）状態・アウト（Ｌｏｗ）状態によって切り換わるレンズ位置検出部１１３の出力である。Ｈｉ→Ｌｏｗに切り換わる位置（ズームリセット、フォーカスリセット）が、それぞれ、ズームレンズ１０２とフォーカスレンズ１０５を駆動するステッピングモータのカウント基準位置となる。
【００３１】
上記実施例では、ズームレンズ１０２を駆動するズームレンズ駆動源１１０とフォーカスレンズ１０５を駆動するフォーカスレンズ駆動源１１１の両方とも、ステッピングモータを用いている。しかし、いずれか一方の駆動源が、例えばＶＣＭ（ボイスコイルモータ）などの他の駆動部材で構成されているものでも構わない。
【００３２】
以上述べたようなレンズ鏡筒を具備する撮像装置において、不図示の電源スイッチがオンされ、レンズリセット動作が行われた後に温度上昇（高温状態）が生じたとする。すると、図４に示したように、ズームレンズ１０２のテレ端・無限での位置が、ＤＸｔ（レンズの可動範囲ＡとＢの差）だけその温度変化によってずれを生じる。このずれＤＸｔが生じたために、フォーカスレンズ１０５にはＤＹｔだけ、ピントずれが発生する。
【００３３】
この場合、背景技術の項で説明したように、上記ピントずれＤＹｔ以上のクリアランスを確保するために、ズームレンズ１０２のテレ端位置をずれＤＸｔだけワイド方向に移動させ、フォーカスレンズ１０５でピント補正を行う。
【００３４】
そして、基準温度より高温の状態から基準温度より低温の状態へ温度下降（低温状態）が生じた場合は、ずれＤＸｔ分だけズームレンズ１０２のテレ端位置をテレ側に戻すとする。すると、温度下降が生じる前ではズームレンズ１０２がテレ端・無限位置にある筈が、温度下降後にはテレ端より少しワイド側にある状態になるため、ズームスイッチ１１５をテレ側に操作することで、さらにテレ側にズームできてしまうといったことが起こる。また、ズームレンズ１０２がテレ端位置にあるかどうかを判定することで行う特殊な処理、例えば光学ズームから電子ズームへの切り替え等の処理において、テレ端位置が変わることで判定処理に不都合が生じ、電子ズームが解除されてしまうといった課題を生じる。
【００３５】
上記課題を解決するには、基準温度より高温の状態から基準温度より低温の状態へ温度下降（低温状態）が生じた際に、ズームレンズ１０２がテレ端位置にある場合は、テレ端位置を変更しないように制御すればよい。こうすることで、ズームレンズ１０２がテレ端位置にある場合の不都合を生じないようにできる。なお、ズームレンズ１０２がテレ端位置になく、ワイド側に位置する場合には不都合は生じないことから、テレ端位置を、低温におけるテレ端位置に変更するように制御して構わない。
【００３６】
次に、カメラマイコン１１４での上記のレンズ制御に関する動作を、図３のフロ−チャートを用いて説明する。
【００３７】
図３において、ステップ＃１０１で電源スイッチがオンして電源が投入されると、カメラマイコン１１４は、ステップ＃１０２からの動作を開始する。まず、ステップ＃１０２では、基準温度となるｔ０を取り込む。この基準温度ｔ０は常温時の温度であり、予めカメラマイコン１１４内のフラッシュＲＯＭ内に記憶されているものであり、そのデータをこのステップ＃１０２で本体のＲＡＭにロードしている。その後、ステップ＃１０３へ進み、ズームレンズ１０２とフォーカスレンズ１０５の初期位置動作、つまりレンズリセット動作を行い、それぞれのレンズの基準位置を検出する。
【００３８】
次のステップ＃１０４では、カメラマイコン１１４は、サーミスタ素子１０８によって検出された現在の温度情報をＡ／Ｄコンバータを介して取り込み、予め記憶されている温度変換テーブルによって現在温度ｔｃに変換する。次のステップ＃１０５では、現在温度ｔｃと基準温度ｔ０との温度差分を算出し、その温度差分をΔｔとする。
【００３９】
ステップ＃１０６では、カメラマイコン１１４は、現在温度ｔｃでのテレ端位置Ｐ２を取得する。現在温度ｔｃでのテレ端位置Ｐ２の取得方法は、例えば、予めカメラマイコン１１４の記憶部に記憶されている温度情報とテレ端位置の関係を示したテーブルデータを参照することにより取得することができる。
【００４０】
なお、常温時の温度（基準温度ｔ０）でのテレ端位置Ｐ１と現在温度ｔｃでのテレ端位置Ｐ２とのテレ端位置の差分ΔＰは、温度差分Δｔとほぼ比例するため、ステップ＃１０６にて、ワイド側へのテレ端移動量ΔＰを
ΔＰ＝α×Δｔ                                  ………（１）
なる式（１）により演算にて算出してもよい。ここで、αは比例定数を表しており、この係数は使用するレンズ鏡筒によって決まる定数である。そして、上記式（１）で求めたΔＰを用いて、以下の式（２）
Ｐ２＝Ｐ１−ΔＰ                                ………（２）
により、現在温度ｔｃでのテレ端位置Ｐ２を演算により算出することができる。
【００４１】
次のステップ＃１０７では、カメラマイコン１１４は、上記ステップ＃１０５での温度差分Δｔの正負を判定する。つまり、上記ステップ＃１０４で検出された現在温度ｔｃが、常温時の温度である基準温度ｔ０より低温か否かを判定する。判定の結果、温度差分Δｔが正（基準温度ｔ０よりも高温）と判定した場合にはステップ＃１１０へ進む。そして、ステップ＃１１０では、テレ端位置Ｐ１を現在温度ｔｃにおけるテレ端位置Ｐ２に変更（Ｐ１←Ｐ２）し、ステップ＃１１１へ進む。
【００４２】
次のステップ＃１１１では、カメラマイコン１１４は、現在のズームレンズ１０２の位置がテレ端位置Ｐ２よりもテレ側にあるか否かを判定する。そして、テレ端位置Ｐ２よりもテレ側にあると判定した場合は、上記ステップ＃１１０にて変更したテレ端位置Ｐ１（＝テレ端位置Ｐ２）までズームレンズ１０２を移動させる。
【００４３】
こうすることで、基準温度ｔ０より高温の場合において、ズームレンズ１０２が超テレ方向に移動することを防ぎ、クリアランスを確保することができる。一方、ズームレンズ１０２がテレ端位置Ｐ２よりもテレ側にない場合は、ステップ＃１０４に戻り、同様の動作を繰り返す。
【００４４】
また、上記ステップ＃１０７にて温度差分Δｔが負（基準温度ｔ０より低温）と判定した場合はステップ＃１０８へ進む。そして、ステップ＃１０８では、現在のズームレンズ１０２の位置が現在のテレ端位置Ｐ１と一致しているか否かを判定する。判定の結果、ズームレンズ１０２がテレ端位置Ｐ１と一致していると判定した場合には、テレ端位置を変更せずにステップ＃１０４へ戻り、同様の動作を繰り返す。一方、上記ステップ＃１０８にてズームレンズ１０２が現在のテレ端位置Ｐ１と一致していないと判定した場合にはステップ＃１０９へ進み、テレ端位置Ｐ１を現在温度ｔｃでのテレ端位置Ｐ２に変更（Ｐ１←Ｐ２）する。
【００４５】
つまり、ズームレンズ１０２がテレ端位置Ｐ１にある場合は温度下降が生じても、テレ端位置の変更は禁止する。これは、一度高温状態になり、テレ端位置をワイド側に変更した後、低温状態になると、ズームレンズの稼動範囲は元に戻るため、ワイド側に変更したテレ端位置をテレ側に戻す必要があるからである。テレ端にズームレンズ位置がある場合は、テレ端を元に戻してしまうと上で述べたように不都合が生じるため、テレ端変更を禁止するが、それ以外の場合は、テレ端位置をテレ側に変更する。こうすることで、ズームレンズ位置の表示との整合性や、ズームレンズ１０２がテレ端位置にある場合に行う特殊な処理（電子ズームに切り換える処理）に不都合が生じなくなる。
【００４６】
一方、ズームスイッチ１１５の操作によりワイド側にズームレンズ１０２が移動され、テレ端位置Ｐ２を離れた場合には、基準温度ｔ０でのテレ端位置Ｐ１に変更するように制御する。
【００４７】
上記実施例における撮像装置は、ズームレンズ１０２およびフォーカスレンズ１０５近傍の温度を検出するサーミスタ素子１０８を有する。さらに、基準温度ｔ０におけるズームレンズ１０２のテレ端位置がテレ端位置Ｐ１であって、基準温度ｔ０よりも高温である現在温度ｔｃ時には、ズームレンズ１０２のテレ端位置をテレ端位置Ｐ２に変更するカメラマイコン１１４を有する。しかし、このカメラマイコン１１４は、ズームレンズ位置がテレ端位置Ｐ２と一致している場合は、ズームレンズ１０２のテレ端位置をテレ端位置Ｐ１に変更することを禁止する。
【００４８】
したがって、テレ端位置よりさらにテレ側にズーム操作できてしまうことを無くすことができる。さらに、ズームレンズ位置を示す表示の整合性、ズームレンズ位置がテレ端位置にある場合の特殊な処理（電子ズームへの切り換え等）の整合性をとることができる。
【００４９】
（本発明と実施例の対応）
ズームレンズ１０２が本発明のズームレンズに相当し、フォーカスレンズ１０５が本発明のフォーカスレンズに相当する。また、サーミスタ素子１０８が、本発明の、ズームレンズおよびフォーカスレンズ近傍の温度を検出する温度検出手段に相当する。また、カメラマイコン１１４が本発明の制御手段に相当する。そして、ズームレンズの望遠端位置が高温状態における望遠端位置に変更されている状態で、現在温度が基準温度よりも低い低温状態になったとする。この場合に、制御手段は、ズームレンズの現在位置が高温状態における望遠端位置に一致するときには、ズームレンズの望遠端位置を低温状態における望遠端位置に変更することを禁止する。
【００５０】
上記の実施例においては、撮像装置に適用した例を示しているが、レンズ制御装置として構成した場合も同様に適用できるものである。また、この種のレンズ制御装置を備えた双眼鏡等の光学機器にも適用できるものである。
【図面の簡単な説明】
【００５１】
【図１】本発明の一実施例に係る撮像装置を示すシステム構成図である。
【図２】本発明の一実施例に係るカム軌跡とズームリセット位置、フォーカスリセット位置との相互関係を示す図である。
【図３】本発明の一実施例に係るカメラマイコン内でのレンズ制御に関する部分の動作を示すフローチャートである。
【図４】本発明の一実施例に係るカム軌跡によるズームレンズ位置とフォーカスレンズ位置の関係を示す図である。
【符号の説明】
【００５２】
１０１    第１固定レンズ群
１０２    ズームレンズ
１０３    絞り
１０４    第２固定レンズ群
１０５    フォーカスレンズ
１０６    撮像素子
１０７    カメラ信号処理回路
１０８    サーミスタ素子
１０９    記録装置
１１０    ズームレンズ駆動源
１１１    フォーカスレンズ駆動源
１１２    ズームレンズ位置検出部
１１３    フォーカスレンズ位置検出部
１１４    カメラマイコン
１１５    ズームスイッチ
【図１】
0004857256.tif 000002
【図２】
0004857256.tif 000003
【図３】
0004857256.tif 000004
【図４】
0004857256.tif 000005